(57)【要約】      （修正有）【課題】花びらの揃った手芸品や、より小さな手芸品が初心者でも容易に作成できる手芸用テープ状素材を提供する。【解決手段】軸状部３ａの先端に、割り溝３ｂが形成された巻き芯部３ｃを突設した手芸用工具３を使用して、手芸品を作成するクイリングに使用する手芸用テープ状素材であって、任意な色に着色されたテープ状物に、テープ状物の一側縁側から他側縁へ向けて多数のスリット１ｂをテープ状物の長手方向に任意なピッチで形成すると共に、スリットの端部がテープ状物の他側縁に達しないようにして、テープ状物の他側縁側に任意な幅の連続部１ｃを形成したもので、テープ状素材のスリット形成部を押し開いて花びらを作成することにより、花びらの揃った見栄えのよい、しかも装飾効果の高い手芸品が初心者でも容易に作成することができる。【選択図】図２
0003131649.tif 000002
【実用新案登録請求の範囲】
【請求項１】
軸状部の先端に、割り溝が形成された巻き芯部を突設した手芸用工具を使用して手芸品を作成するクイリングに使用する手芸用テープ状素材であって、任意な色に着色されたテープ状物に、前記テープ状物の一側縁側から他側縁へ向けて多数のスリットを前記テープ状物の長手方向に任意なピッチで形成すると共に、前記スリットの端部が前記テープ状物の他側縁に達しないようにして、前記テープ状物の他側縁側に任意な幅の連続部を形成した特徴とする手芸用テープ状素材。
【請求項２】
前記テープ状物の幅及び前記スリットのピッチを小さくして、より小さな手芸品を作成できるようにしてなる請求項１に記載の手芸用テープ状素材。
【請求項３】
前記テープ状物に斜め方向またはほぼ波形に前記スリットを形成してなる請求項１または２に記載の手芸用テープ状素材。
【請求項４】
色の異なる複数の紙素材を接着し、かつ前記紙素材を接続方向に長尺となるように裁断して、途中から色の異なるテープ状物を形成すると共に、前記テープ状物に前記スリットを形成してなる請求項１ないし３の何れかに記載の手芸用テープ状素材。
【考案の詳細な説明】
【技術分野】
【０００１】
本考案は、クイリングにより花等の手芸品を作成する際に使用する手芸用テープ状素材に関する。
【背景技術】
【０００２】
紙等の材料により形成されたテープ状素材を棒状物に巻き付けて花等の手芸品を作成する手芸は、クイリングと呼ばれて近年多くの人が趣味として楽しんでいる。
また初心者でも簡単に花等の手芸品が作成できるように、クイリングに使用する手芸用工具も提案されている（例えば特許文献１）。
前記特許文献１に記載の手芸用工具は、細長い円柱状の本体部の一端に、先端部にテープ状素材（帯状紙）を挟むための割り溝が形成された棒状の巻き付け体が突設された構成で、円筒状もしくは円盤状の補助具を巻き付け体に取り付け、この補助具をガイドにして巻き付け体にテープ状素材を巻き付けることにより、渦状に巻き癖の付いた手芸品を作成するようにしたもので、手芸用工具の先端を指先で持って固定した状態で本体部を回転させることができるので、安定した巻き付け作業を行うことができる上、補助具を使用することにより、特に初心者でも巻き付けているテープ状素材を平坦な状態に保持することができるので、使い勝手がよい等の効果がある。
【特許文献１】特開２００４−１３１２８０（特許第３６７３８０１）号公報
【考案の開示】
【考案が解決しようとする課題】
【０００３】
しかし前記特許文献１に記載の手芸用工具により作成された手芸品には、次のような問題がある。
すなわち前記特許文献１に記載の手芸用工具で扱うテープ状素材は、任意な幅の紙テープであって、このテープ状素材を本体部より突設された巻き付け体に巻き付けることにより渦状に巻かれた手芸品を作成するが、得られた手芸品は、テープ状素材が渦状に巻かれた外観を呈するものであって、たとえテープ状素材の色を変えたり幅を変えたりして色が異なる花を作成したり、サイズの異なる花を作成したとしても、趣向に乏しくかつ装飾効果が低い手芸品となる等の問題がある。
このため従来では、鋏やカッタ等の切断手段を使用してテープ状素材に切り込みを入れ、このテープ状素材を手芸用工具を使用して巻き付けることにより、花びらが放射方向に開いた花等を作成することが行われている。
【０００４】
しかしこの方法では、テープ状素材に均等に切り込みを入れることが難しいことから、出来上った花の花びらが不揃いになって見栄えがしない等の問題がある。
またテープ状素材に切り込みを入れる際誤ってテープ状素材を断ち切ってしまうことが多いため、所定長さのテープ状素材を得るのに時間がかかる上、テープ状素材が無駄になったり、作業に熟練を要する問題がある。
さらに、より小さな作品を作成する場合、幅の狭い帯状紙を使用するが、幅の狭いテープ状素材に鋏やカッタ等で人為的に切り込みを入れることは困難なため、花びらの開いたより小さな作品は熟練者でないと作成できない等の問題もある。
本考案はかかる問題を改善するためになされたもので、花びらの揃った手芸品や、より小さな手芸品が初心者でも容易に作成できる手芸用テープ状素材を提供することを目的とするものである。
【課題を解決するための手段】
【０００５】
本考案の手芸用テープ状素材は、軸状部の先端に、割り溝が形成された巻き芯部を突設した手芸用工具を使用して手芸品を作成するクイリングに使用する手芸用テープ状素材であって、任意な色に着色されたテープ状物に、テープ状物の一側縁側から他側縁へ向けて多数のスリットをテープ状物の長手方向に任意なピッチで形成すると共に、スリットの端部がテープ状物の他側縁に達しないようにして、テープ状物の他側縁側に任意な幅の連続部を形成したものである。
【０００６】
前記構成により、テープ状素材のスリット形成部を押し開いて花びらを作成することにより、花びらの揃った見栄えのよい、しかも装飾効果の高い手芸品が初心者でも容易に作成することができると共に、テープ状物に鋏やカッタ等で切り込みを入れる必要がないため、誤ってテープ状物を断ち切ってしまうことがなく、これによって所定長さのテープ状素材が短時間で容易に得られる上、テープ状物が無駄になることもないので経済的である。
【０００７】
本考案の手芸用テープ状素材は、テープ状物の幅及びスリットのピッチを小さくして、より小さな手芸品を作成できるようにしたものである。
【０００８】
前記構成により、幅の狭いテープ状物に手作業でスリットを小さなピッチで形成する作業が不要なため、初心者でもより小さい花等の手芸品が容易に作成できるようになる。
【０００９】
本考案の手芸用テープ状素材は、テープ状物に斜め方向またはほぼ波形にスリットを形成したものである。
【００１０】
前記構成により、趣向に富んだ複雑な形状の手芸品が何等熟練を必要とせずに作成できるようになる。
【００１１】
本考案の手芸用テープ状素材は、色の異なる複数の紙素材を接着し、かつ紙素材を接続方向に長尺となるように裁断して、途中から色の異なるテープ状物を形成すると共に、テープ状物にスリットを形成したものである。
【００１２】
前記構成により、手作業では作成がほとんど困難な途中から色の変わる極細のテープ状素材が容易かつ経済的に得られるようになる。
【考案の効果】
【００１３】
本考案の手芸用テープ状素材によれば、テープ状素材のスリット形成部を押し開いて花びらを作成することにより、花びらの揃った見栄えのよい、しかも装飾効果の高い手芸品が初心者でも容易に作成することができると共に、テープ状物に鋏やカッタ等で切り込みを入れる必要がないため、誤ってテープ状物を断ち切ってしまうことがなく、これによって所定長さのテープ状素材が短時間で容易に得られる上、テープ状物が無駄になることもないので経済的である。
【考案を実施するための最良の形態】
【００１４】
本考案の実施の形態を、図面を参照して詳述する。
図１はテープ状素材の平面図、図２はテープ状素材を使用して手芸品を作成している状態の説明図、図３は出来上った手芸品の斜視図、図４以下はテープ状素材の変形例を示す説明図である。
図１に示すテープ状素材１に使用するテープ状物１ａは、色紙や折り紙等に使用されている紙をテープ状に裁断したもので、０．０６〜０．１６ｍｍの厚みを有し、かつ巻き癖の付けやすい例えば洋紙が使用されており、予め着色された複数色のものが用意されている。
また製紙の段階で着色された紙素材をテープ状に裁断することによりテープ状物１ａが作成されていて、テープ状素材１を任意な位置で切断しても芯部まで着色された状態となっており、好みの大きさの手芸品が作成できるように、テープ状素材１の幅Ｗ１が異なるものが複数種類製作されている。
【００１５】
図１に示すテープ状素材１は、幅Ｗ１が例えば９ｍｍに、そして長さＬ１が例えば９０ｍｍに形成されていて、テープ状物１ａの長さ方向と直交する方向に一側縁側から他側縁へ向けて多数のスリット１ｂが長手方向に等間隔に形成されている。
スリット１ｂのピッチＰは例えば１ｍｍで、深さＤは例えば６ｍｍとなっており、これによってスリット１ｂの端部がテープ状物１ａの他側縁に達することがないため、テープ状物１ａの他側縁側に幅Ｗ２が３ｍｍの連続部１ｃが形成されている。
前記構成のテープ状素材１は、プレス等の加圧手段を使用して金型（何れも図示せず）によりテープ状物１ａに等ピッチのスリット１ｂを形成して製作するが、スリット１ｂの形成方法としては、スリット１ｂを形成するための刃が等ピッチで配列された下型を使用し、上型側には硬質ゴム等の弾性体により形成された加圧パッドを使用する。
【００１６】
そしてプレスのダイハイトを、加圧パッドの下面が下型の刃に多少食い込む程度に設定した状態で、下型上の所定位置に載置したテープ状物１ａを上方から加圧パッドで加圧して、加圧パッドと下型の刃の間でテープ状物１ａにスリット１ｂをカッティングするもので、この方法によれば、下型の刃による加圧パッドの損傷がほとんどない上、下型の刃も金属接触がないため摩耗による切れ味の低下が少なく、これによって多量のテープ状物１ａにスリット１ｂを形成することができるため、経済的でもある。
【００１７】
一方花の花芯を作成するテープ状素材２は、スリット１ｂが形成されたテープ状素材１と別の色に着色されており、幅Ｗ３は例えば３ｍｍ、長さＬ２は例えば１８０ｍｍに形成されていて、花芯を作成するテープ状素材２にはスリット１ｂが形成されていないものを使用している。
また前記テープ状素材１，２を使用して手芸品を作成する手芸用工具３は、アルミニウム等の軽量な金属により円柱状に形成された軸状部３ａの先端に、割り溝３ｂが形成された針状の巻き芯部３ｃが突設されており、巻き芯部３ｃには、テープ状素材１，２を巻き付ける際に強い力が作用しても、変形したり曲がったりしないように例えばステンレスばね鋼が使用されていると共に、軸状部３ａの外周面には、軸状部３ａが回転しやすいようにロレットのような滑り止め３ｄがほぼ全体に形成されている。
【００１８】
次に前記構成されたテープ状素材１，２を使用して図４に示す花を作成する方法を説明する。
まず花芯となるテープ状素材２の一端（斜線部）を、花びらとなるテープ状素材１の一端（斜線部）に糊付けして、両者が一直線状となるように接着する。
次に花芯となるテープ状素材２の他端を手芸用工具３の巻き芯部３ｂに形成された割り溝３ｃに挿入し、この状態で軸状部３ａを図２に示すように指で回転させて、まず花芯となるテープ状素材２を巻き付ける。
その後テープ状素材２を巻き切って花びらとなるテープ状素材１が巻き芯部３ｂに達したら、テープ状素材２の上からテープ状素材１を図３に示すように巻き付けて、テープ状素材１，２が渦状に巻かれた手芸品を作成し、巻き芯部３ｂが抜き出す。
このとき渦状に巻かれたテープ状素材１，２が緩まないように、テープ状素材１の他端を糊付けする。
【００１９】
また手芸品を巻き芯部３ｂより抜き出したら、テープ状素材１のスリット１ｂにより分断された一側縁を放射方向へ押し広げることにより、図３に示すような花びらが開いた花の手芸品を作成するもので、花びらの中心に色の異なる花芯が配置された構成となるため、見栄えがよく、かつ装飾効果の高い手芸品が初心者でも容易に得られるようになる。
【００２０】
以上はスリット１ｂが形成されたテープ状素材１と、スリット１ｂが形成されていない幅狭なテープ状素材２を使用して花を作成した例であるが、図４及び図５に示す第１の変形例のように、色および幅Ｗ１が異なり、かつ異なるピッチＰでスリット１ｂが形成された２枚のテープ状素材１と、スリット１ｂが形成されていない幅狭なテープ状素材２を使用して花を作成することもできる。
この場合も前記実施の形態と同様に各テープ状素材１，２の斜線部分を糊付けするが、テープ状素材１，２が余り長すぎて作業しにくい場合は、幅の狭いテープ状素材２と中幅のテープ状素材１を糊付けして、まず幅の狭いテープ状素材２から手芸用工具３を使用して巻き始め、中幅のテープ状素材１を巻き終えた時点で幅広のテープ状素材１の斜線部分に中幅のテープ状素材１の斜線部分を糊付けして、さらに幅広のテープ状物を巻き付けるようにしてもよく、渦状に巻かれたテープ状素材１，２が緩まないように幅広なテープ状素材１の端部を糊付けしたら、手芸品を巻き芯部３ｂより抜き出した後、テープ状素材１，２のスリット１ｂにより分断された一側縁を放射方向へ押し広げることにより図５に示すような花を作成するもので、色の異なるな花びらが二重に開いた見栄えのよい作品が得られるようになる。
【００２１】
またより小さな花を作成する場合は、より幅の狭いテープ状素材１を使用する。
図６に示す第２の変形例では、テープ状素材１の幅Ｗ１を５ｍｍに、そしてスリット１ｂのピッチＰを０．５ｍｍとし、花芯に使用するテープ状素材２の幅を２ｍｍとして、前記実施の形態と同様な操作で手芸品を作成したもので、得られた手芸品は図７に示すような小さな花の作品となり、より幅Ｗ１、スリット１ｂのピッチＰが小さいテープ状素材を使用することにより、さらに小さい手芸品を作成することも可能である。
【００２２】
一方図８に示す第３の変形例は、テープ状物１ａに例えば３０度〜４５度の角度で傾斜させたスリット１ｂを一定のピッチＰで形成して、テープ状素材１を作成したもの、図９に示す第４の変形例は、スリット１ｂを波状に形成したものを示す。
このようなテープ状素材１を使用して花や葉等の手芸品を作成すれば、より複雑な形状の手芸品を作成したり、より趣向に富んだ手芸品を初心者でも容易に作成することができるようになる。
また図１０は、異なる色の紙素材４，５の端部に設けたのり代４ａ，５ａを互いに接着してこれを長手方向に等間隔に裁断し、さらに図１１に示す破線部分を裁断して切り離すことにより図１２に示すようなテープ状物１ａを形成した第５の変形例を示すもので、この方法によれば、色の異なるテープを手作業で接着して、途中から色の異なるテープ状物１ａを形成する場合に比べて、遥かに幅狭なテープ状物１ａを製作することができ、また紙素材を長手方向に裁断する際、長手方向と直交する方向に等間隔にスリット１ｂを形成することにより、途中から色変わりする極細のテープ状素材１が容易に得られるようになる。
【００２３】
なお前記実施の形態及び変形例では、テープ状素材１，２を使用して花等の手芸品を作成する場合について説明したが、花以外の手芸品を作成してもよく、手芸する者のアイデアにより種々の手芸品や装飾品等に適用できるものであり、出来上がった手芸品をディスプレイや装身具等に使用しても勿論よい。
またテープ状素材１，２を作成するテープ状物には、紙以外の素材、例えばプラスチックフィルムや、金属箔等を使用してもよい。
【図面の簡単な説明】
【００２４】
【図１】本考案の実施の形態になる手芸用テープ状素材の平面図である。
【図２】本考案の実施の形態になる手芸用テープ状素材を使用して手芸品を作成する際の作用説明図である。
【図３】本考案の実施の形態になる手芸用テープ状素材を使用して作成された手芸品の斜視図である。
【図４】本考案の実施の形態になる手芸用テープ状素材の第１変形例を示す平面図である。
【図５】本考案の実施の形態になる手芸用テープ状素材の第１変形例を使用して作成した手芸品の斜視図である。
【図６】本考案の実施の形態になる手芸用テープ状素材の第２変形例を示す平面図である。
【図７】本考案の実施の形態になる手芸用テープ状素材の第２変形例を使用して作成した手芸品の斜視図である。
【図８】本考案の実施の形態になる手芸用テープ状素材の第３変形例を示す平面図である。
【図９】本考案の実施の形態になる手芸用テープ状素材の第４変形例を示す平面図である。
【図１０】本考案の実施の形態になる手芸用テープ状素材の第５変形例を示す平面図である。
【図１１】本考案の実施の形態になる手芸用テープ状素材の第５変形例を示す平面図である。
【図１２】本考案の実施の形態になる手芸用テープ状素材の第５変形例を示す平面図である。
【符号の説明】
【００２５】
１    テープ状素材
１ａ    テープ状物
１ｂ    スリット
１ｃ    連続部
２    テープ状素材
３    手芸用工具
３ａ    軸状部
３ｂ    割り溝
３ｃ    巻き芯部
【図１】
0003131649.tif 000003
【図２】
0003131649.tif 000004
【図３】
0003131649.tif 000005
【図４】
0003131649.tif 000006
【図５】
0003131649.tif 000007
【図６】
0003131649.tif 000008
【図７】
0003131649.tif 000009
【図８】
0003131649.tif 000010
【図９】
0003131649.tif 000011
【図１０】
0003131649.tif 000012
【図１１】
0003131649.tif 000013
【図１２】
0003131649.tif 000014